(57)【要約】【課題】製氷時間を短縮して省電力化を図るとともに透明度の高い氷を得ることのできる冷蔵庫を提供する。【解決手段】水を貯水する給水タンク７と氷点以下に冷却される製氷板９とを有して給水タンク７から供給される水を製氷板９上に流下して氷を成長させる流下式製氷装置６を備え、冷蔵室２に給水タンク７及び製氷板９を配置するとともに、冷蔵室２の下方の貯氷室２１に貯氷容器１７を配置し、冷蔵室２と冷凍室４の間の断熱壁１５に設けた開口部１５ａを介して落下する氷を貯氷容器１７に貯蔵する冷蔵庫１において、製氷板９の温度を検知する温度センサ５４を設け、温度センサ５４の検知結果に基づいて製氷板９に流水して製氷を開始した。【選択図】図６
2007113823.tif 000002
【特許請求の範囲】
【請求項１】
水を貯水する給水タンクと氷点以下に冷却される製氷板とを有して前記給水タンクから供給される水を前記製氷板上に流下して氷を成長させる流下式製氷装置と、氷点よりも高温に維持される第１貯蔵室と、開口部を有する断熱壁を介して第１貯蔵室の下方に配されるとともに氷点よりも低温に維持される第２貯蔵室とを備え、第１貯蔵室に前記給水タンク及び前記製氷板を配置するとともに、前記製氷板から離氷されて前記開口部を介して落下する氷を第２貯蔵室に貯蔵する冷蔵庫において、前記製氷板の温度を検知する温度検知手段を設け、前記温度検知手段の検知結果に基づいて前記製氷板に流水して製氷を開始することを特徴とする冷蔵庫。
【請求項２】
前記温度検知手段の検知温度が０℃よりも低く所定温度よりも高い場合に製氷を開始することを特徴とする請求項１に記載の冷蔵庫。
【請求項３】
前記温度検知手段の検知温度が０℃よりも低く−１０℃よりも高い場合に製氷を開始することを特徴とする請求項１に記載の冷蔵庫。
【請求項４】
前記給水タンクからの給水を貯水する循環タンクを有して前記循環タンクの貯水を循環して前記製氷板に供給するとともに、前記循環タンク内の水温を検知する水温検知手段を設け、前記水温検知手段の検知結果に基づいて前記製氷板に流水して製氷を開始することを特徴とする請求項１〜請求項３のいずれかに記載の冷蔵庫。
【請求項５】
前記水温検知手段の検知温度が０℃よりも高く所定温度よりも低い場合に製氷を開始することを特徴とする請求項４に記載の冷蔵庫。
【請求項６】
前記水温検知手段の検知温度が０℃よりも高く１０℃よりも低い場合に製氷を開始することを特徴とする請求項４に記載の冷蔵庫。
【請求項７】
製氷開始後に前記水温検知手段の検知温度が０℃以下になったときに前記製氷板への水の供給を一時停止し、前記水温検知手段の検知温度が０℃よりも高くなったときに前記製氷板への水の供給を再開することを特徴とする請求項５または請求項６に記載の冷蔵庫。
【発明の詳細な説明】
【技術分野】
【０００１】
本発明は、製氷装置を備えた冷蔵庫に関する。
【背景技術】
【０００２】
製氷装置を備えた従来の冷蔵庫は特許文献１に開示されている。この冷蔵庫は氷点以下に維持される製氷室に配置された製氷皿に給水タンクから給水し、製氷皿に溜まった水を凍結する。
【特許文献１】特開２０００−３５２６８号公報（第３頁−第７頁、第１図）
【発明の開示】
【発明が解決しようとする課題】
【０００３】
しかしながら、上記従来の冷蔵庫によると、製氷皿に溜まった水を凍結させるため製氷にかかる時間が長くなる問題があった。また、不純物や気泡が閉じこめられて氷の透明度が低下するため、見た目が悪くなるとともに臭いを含む氷ができる問題があった。製氷室の温度を高く設定して徐々に凍結させる緩慢凍結方式によると透明度の高い氷を得ることができるが、製氷にかかる時間が更に長くなり、電力消費が大きくなる問題がある。
【０００４】
本発明は、製氷時間を短縮して省電力化を図るとともに透明度の高い氷を得ることのできる冷蔵庫を提供することを目的とする。
【課題を解決するための手段】
【０００５】
上記目的を達成するために本発明は、水を貯水する給水タンクと氷点以下に冷却される製氷板とを有して前記給水タンクから供給される水を前記製氷板上に流下して氷を成長させる流下式製氷装置と、氷点よりも高温に維持される第１貯蔵室と、開口部を有する断熱壁を介して第１貯蔵室の下方に配されるとともに氷点よりも低温に維持される第２貯蔵室とを備え、第１貯蔵室に前記給水タンク及び前記製氷板を配置するとともに、前記製氷板から離氷されて前記開口部を介して落下する氷を第２貯蔵室に貯蔵する冷蔵庫において、前記製氷板の温度を検知する温度検知手段を設け、前記温度検知手段の検知結果に基づいて前記製氷板に流水して製氷を開始することを特徴とする冷蔵庫。
【０００６】
この構成によると、温度検知手段の検知により製氷板が所定の温度範囲になると、氷点よりも高温の第１貯蔵室に配された給水タンクから供給された水が製氷板上を流下し、製氷が開始される。冷凍サイクルの運転により低温側となる低温部と密着した氷点以下の製氷板上を流下する水は層状に凍結し、積層により徐々に成長して氷塊になる。製氷板から氷を離氷すると氷が開口部を介して第２貯蔵室に落下し、氷点よりも低温の第２貯蔵室内で貯蔵される。
【０００７】
また本発明は、上記構成の冷蔵庫において、前記温度検知手段の検知温度が０℃よりも低く所定温度よりも高い場合に製氷を開始することを特徴としている。この構成によると、製氷板の温度が０℃以上の場合や所定温度よりも低い場合に製氷板に水が供給されず製氷が開始されない。
【０００８】
また本発明は、上記構成の冷蔵庫において、前記温度検知手段の検知温度が０℃よりも低く−１０℃よりも高い場合に製氷を開始することを特徴としている。
【０００９】
また本発明は、上記構成の冷蔵庫において、前記給水タンクからの給水を貯水する循環タンクを有して前記循環タンクの貯水を循環して前記製氷板に供給するとともに、前記循環タンク内の水温を検知する水温検知手段を設け、前記水温検知手段の検知結果に基づいて前記製氷板に流水して製氷を開始することを特徴としている。この構成によると、給水タンクからの給水により循環タンクに貯水される。循環タンク内の水は水温検知手段の検知により所定の温度範囲になると製氷板に導かれて製氷板上を流下し、循環タンクに戻って循環する。
【００１０】
また本発明は、上記構成の冷蔵庫において、前記水温検知手段の検知温度が０℃よりも高く所定温度よりも低い場合に製氷を開始することを特徴としている。この構成によると、循環タンクの水温が０℃以下の場合や所定温度よりも高い場合に循環タンクから製氷板に水が供給されず製氷が開始されない。
【００１１】
また本発明は、上記構成の冷蔵庫において、前記前記水温検知手段の検知温度が０℃よりも高く１０℃よりも低い場合に製氷を開始することを特徴としている。
【００１２】
また本発明は、上記構成の冷蔵庫において、製氷開始後に前記水温検知手段の検知温度が０℃以下になったときに前記製氷板への水の供給を一時停止し、前記水温検知手段の検知温度が０℃よりも高くなったときに前記製氷板への水の供給を再開することを特徴としている。この構成によると、製氷開始後に循環タンクの水温が０℃以下になると循環タンクから製氷板への水の供給が停止される。
【発明の効果】
【００１３】
本発明によると、流下式製氷装置を備えるので製氷時間を短縮して省電力化を図るとともに透明度の高い氷を得ることができる。また、給水タンク及び製氷板を氷点より高温の第１貯蔵室に配して氷点よりも低温の第２貯蔵室で貯氷するため氷が溶解することなく保存される。従って、製氷回数を少なくしてより省電力化を図ることができるとともに、必要な際に氷を直ぐに取り出すことができ、利便性が向上する。また、製氷板の温度を検知する温度検知手段の検知結果に基づいて製氷板に流水して製氷を開始するので、高温で製氷を開始した際の水の供給経路の凍結や、低温で製氷を開始した際の氷の白濁を防止することができる。
【００１４】
また本発明によると、循環タンクの水温を検知する水温検知手段の検知結果に基づいて製氷板に流水して製氷を開始するので、所定の温度範囲外で製氷を開始した際の水の供給経路の凍結や、氷の白濁をより確実に防止することができる。
【００１５】
また本発明によると、製氷開始後に水温検知手段の検知温度が０℃以下になったときに製氷板への水の供給を一時停止し、水温検知手段の検知温度が０℃よりも高くなったときに製氷板への水の供給を再開するので、水の供給経路の凍結や氷の白濁をより確実に防止することができる。
【発明を実施するための最良の形態】
【００１６】
以下に本発明の実施形態を図面を参照して説明する。図１は一実施形態の冷蔵庫を示す正面図である。冷蔵庫１は本体部１ａに各貯蔵室が設けられ、本体部１ａに枢支される扉により各貯蔵室が開閉される。本体部１ａの上部には冷蔵室２（第１貯蔵室）が配され、冷蔵室２の下方には野菜室３及び冷凍室４が左右に並設される。冷蔵室２は貯蔵物を冷蔵保存する温度（約３℃）に維持され、扉２ａにより開閉される。野菜室３は野菜を冷蔵保存する温度（約８℃）に維持され、扉（不図示）により開閉される。
【００１７】
冷凍室４は貯蔵物を冷凍保存する温度（約−１８℃）に維持され、扉４ａにより開閉される。冷凍室４と冷蔵室３との間には氷を貯氷する貯氷容器１７が配された貯氷室２１（第２貯蔵室）が設けられる。貯氷室２１の前面の扉２１ａを開くことにより貯氷容器１７を引き出して氷を取り出すことができる。
【００１８】
貯氷室２１は断熱材から成る仕切壁２０により冷凍室４と仕切られ、冷凍室４よりも高温（例えば、−３℃）に維持されている。これにより、冷凍温度に維持する容積を減少させて省電力化を図ることができる。また、貯氷室２１と冷蔵室２との温度差を小さくすることができる。このため、貯氷室２１と冷蔵室２との間の断熱壁１５の厚みを薄くして容積効率を向上することができる。尚、仕切壁２０を開口して冷凍室４と貯氷室２１を連通させてもよい。
【００１９】
冷蔵室２は断熱材を充填した断熱壁１５で野菜室３及び貯氷室２１と断熱隔離されている。断熱壁１５は開口部１５ａを有し、開口部１５ａを開閉するダンパ１６が貯氷室２１に設けられている。これにより、貯氷室２１から冷蔵室２に流入する冷気を遮蔽し、冷蔵室２の貯蔵物の過冷却を防止することができる。
【００２０】
また、開口部１５ａの周囲にはヒータ２５が埋設されている。これにより、開口部１５ａの周囲を昇温して貯氷室２１の冷気による結露を防止することができる。野菜室３と冷凍室４とは断熱材を充填した断熱壁１９で断熱隔離されている。また、冷蔵室２の下部には樹脂製の仕切板５で仕切られた領域に流下式製氷装置６が設けられる。
【００２１】
流下式製氷装置６は後述するように氷点以下に冷却されたステンレス等の金属板から成る製氷板９を有している。流下式製氷装置６を仕切板５で隔離することにより、冷蔵室２内の貯蔵物の過冷却を防止することができる。
【００２２】
図２、図３はそれぞれ冷蔵庫１の異なる断面を示す側面断面図である。また、図４は冷蔵庫１の上面断面図である。流下式製氷装置６の後部にはノンフロン冷媒であるＨＣ冷媒（Ｒ６００ａ）等の冷媒が流通する配管１３が配される。配管１３は冷媒が流通して冷凍サイクルの低温側となる。これにより、配管１３は氷点以下の低温部を構成し、配管１３に設けた冷却板３７に接して製氷板９が配置される。
【００２３】
これにより、製氷板９は配管１３に固定されずに氷点以下に維持され、後述する循環経路とともに配管１３が配される流下式製氷装置６の後部から脱着することができる。従って、配管１３及び冷却板３７が配される冷却部５１と、製氷板９及び循環経路が配される製氷部５２とが分離され、製氷部５２を冷却部５１から着脱自在になっている。また、冷却部５１には、詳細を後述する電磁弁３８、離氷モータ４３、循環モータ４２等の電装部品が設置されている。
【００２４】
流下式製氷装置６の前部には着脱自在の給水タンク７が配されている。給水タンク７は端部の底面に止水弁３９を有している。止水弁３９は上下動可能に設けられ、電磁弁３８には止水弁３９に係合する係合部材５３が一体化されている。電磁弁３８に通電されると係合部材５３が上昇する。これにより、止水弁３９が上昇して給水タンク７から水が流出するようになっている。
【００２５】
図５は流下式製氷装置６の詳細を示す斜視図である。製氷板９は断熱壁１５上に配された循環タンク１０上に立設される。循環タンク１０は上面を開口し、電磁弁３８（図４参照）の駆動により止水弁３９を介して給水タンク７から水が供給される。循環タンク１０には１回の製氷に最低限必要な水量よりも多い水量（例えば、１．５倍程度）が貯水される。循環タンク１０内には水温を検知する温度センサ５５（水温検知手段）が設けられている。
【００２６】
製氷板９の表面の製氷面には、断熱材から成る固定プレート４０が配される。固定プレート４０は上下に延びて前方に突出する複数の固定リブ４０ａと、左右方向に延びる複数の断熱板４０ｂとを有している。固定リブ４０ａは左右方向に所定間隔で並設される。断熱板４０ｂは上下方向に所定間隔で並設される。
【００２７】
各固定プレート４０の間には断熱材から成る複数の可動リブ１４が設けられる。可動リブ１４は側面が斜面に形成され、上端が枢支される。可動リブ１４の下部は左右に延びるアーム３２に遊嵌され、各可動リブ１４がアーム３２により連結されている。アーム３２の背面側の略中央部には離氷モータ４３（図４参照）に連結される押圧軸３１が当接する。離氷モータ４３が駆動されると押圧軸３１が前進し、可動リブ１４が回動して図２の一点鎖線１４’に示すように製氷板９に対して傾斜可能になっている。
【００２８】
循環タンク１０内には接続パイプ４１（図３参照）の一端を接続した循環ポンプ１１（図３参照）が浸漬されている。循環ポンプ１１は循環タンク１０の壁面を介して循環モータ４２（図３参照）に対向する。循環ポンプ１１及び循環モータ４２に設けた磁石により循環モータ４２の動力が循環ポンプ１１に伝達されるようになっている。
【００２９】
接続パイプ４１の他端は製氷板９の上部に配された散水ノズル１２に接続される。散水ノズル１２には多数の散水孔（不図示）が設けられる。循環ポンプ１１の駆動により循環タンク１０の水が汲上げられ、散水ノズル１２から製氷板９の上部に散水することができる。製氷板９を流下した水は循環タンク１０内に戻る。従って、散水ノズル１２、循環タンク１０、接続パイプ４１及び循環ポンプ１１により水を循環させる循環経路が構成されている。
【００３０】
製氷板９の背後に配される配管１３は断熱板４０ｂを回避するように蛇行して形成されている。配管１３の前面にはステンレスやアルミニウム等の金属から成る冷却板３７が一体化されている。冷却板３７の表面には熱伝導シート（不図示）が設けられ、製氷板９は熱伝導シートを介して冷却板３７に密着されている。これにより、冷凍サイクルの低温側となる配管１３の冷熱が効率よく製氷板９に伝達される。また、冷却板３７の背面には温度センサ５４（温度検知手段）が設けられている。温度センサ５４によって冷却板３７に密着する製氷板９の温度を検知することができる。
【００３１】
図６は流下式製氷装置６による製氷時の動作を示すフローチャートである。例えば、扉２ａに設けた製氷スイッチの操作等によって製氷動作が指示されると、ステップ＃１１で赤外線センサ等によって貯氷容器１７が空いているか否かが判断される。貯氷容器１７内が氷で満たされている場合はステップ＃３０で報知して処理を終了する。
【００３２】
貯氷容器１７が空いている場合はステップ＃１２で電磁弁３８がＯＮされる。これにより、給水タンク７から循環タンク１０に給水が開始される。ステップ＃１３では循環タンク１０に所定量の水が供給されるまで待機する。循環タンク１０に所定量の水が供給されると、ステップ＃１４で温度センサ５５により循環タンク１０の水温が検知される。
【００３３】
ステップ＃１５では温度センサ５５で検知した循環タンク１０の水温が０℃よりも高く１０℃以下であるか否かが判断される。循環タンク１０の水温が０℃以下の場合や１０℃よりも高い場合はステップ＃３０で報知して処理を終了する。循環タンク１０の水温が０℃よりも高く１０℃以下の場合はステップ＃１６で温度センサ５４により製氷板９の温度が検知される。
【００３４】
ステップ＃１７では温度センサ５４で検知した製氷板９の温度が−１０℃未満か否かが判断される。製氷板９の温度が−１０℃未満の場合はステップ＃３０で報知して処理を終了する。製氷板９の温度が−１０℃以上の場合はステップ＃１８で温度センサ５４で検知した製氷板９の温度が０℃以上か否かが判断される。
【００３５】
製氷板９の温度が０℃以上の場合はステップ＃１６に戻ってステップ＃１６〜＃１８が繰り返し行われ、製氷板９の温度が低下するまで待機する。この時、配管１３に冷媒が流通していない場合は冷媒を流通させて製氷板９を降温してもよい。製氷板９の温度が０℃よりも低い場合はステップ＃１９に移行する。
【００３６】
ステップ＃１９では循環モータ４２の通電により循環ポンプ１１が駆動される。循環ポンプ１１の駆動によって散水孔１２ａから散水される水は製氷板９上を流下して層状に凍結し、積層により徐々に成長して製氷板９上に氷が形成される。尚、断熱板４０ｂは熱伝導率が低いため、断熱板４０ｂ上では水が凍結しない。これにより、氷をブロック状に分けることが可能となっている。
【００３７】
ステップ＃２０では温度センサ５５により循環タンク１０の水温が検知される。ステップ＃２１では循環タンク１０の水温が０℃以下か否かが判断される。循環タンク１０の水温が０℃以下になった場合はステップ＃２２で循環ポンプ１１の駆動が停止され、ステップ＃２０に戻る。そして、ステップ＃２０〜＃２２が繰り返し行われ、循環タンク１０の水温が上昇するまで待機する。
【００３８】
ステップ＃２１の判断で循環タンク１０の水温が０℃よりも高い場合はステップ＃２３で循環ポンプ１１の駆動時間が所定時間を経過したか否かが判断される。循環ポンプ１１の駆動時間が所定時間を経過していない場合はステップ＃１９に戻り、ステップ＃１９〜＃２３が繰り返し行われる。この時、ステップ＃２２で循環ポンプ１１が停止されていた場合はステップ＃１９で再度駆動される。
【００３９】
循環ポンプ１１の駆動時間が所定時間を経過した場合は製氷が完了したと判断され、ステップ＃２４で循環ポンプ１１が停止される。ステップ＃２５ではダンパ１６が開かれ、ステップ＃２６で離氷モータ４３が駆動される。可動リブ１４の側面は斜面から成るため、押圧軸３１の前進により傾斜する可動リブ１４により氷が前方へ押し出されて製氷板９から離れる。従って、離氷モータ４３、押圧軸３１、アーム３２及び可動リブ１４により氷を離氷する離氷装置が構成されている。
【００４０】
製氷板９から離氷された氷はダンパ１６により開かれた開口部１５ａを介して貯氷容器１７に落下して溜められる。これにより、製氷板９上の氷が離氷され、貯氷容器１７内に貯氷される。製氷板９上の氷が落下するとステップ＃２７でダンパ１６が閉じられ、ステップ＃１１に戻って製氷動作が繰り返し行われる。
【００４１】
本実施形態によると、水を製氷板９上に流下させて製氷する流下式製氷装置６を設けたので、製氷時間を短縮して省電力化を図るとともに透明度の高い氷を得ることができる。また、業務用の流下式の製氷機は市水に連結されるため設置場所が限定されるが、給水タンク７を有するため設置場所が限定されず利便性が向上する。
【００４２】
加えて、業務用の流下式の製氷機は氷の貯氷部が氷点よりも高温であるため長期間氷を保存できないが、給水タンク７及び製氷板９を氷点より高温の冷蔵室２（第１貯蔵室）に配して氷点よりも低温の貯氷室２１（第２貯蔵室）で貯氷するため氷が溶解することなく保存される。
【００４３】
従って、製氷回数を少なくしてより省電力化を図ることができるとともに、必要な際に氷を直ぐに取り出すことができ、利便性が向上する。また、上方に冷蔵室２を配置して下方に貯氷室２１を配置することにより、簡単に流下式製氷装置６を氷点よりも高温に配して貯氷容器１７を氷点よりも低温に配することができる。
【００４４】
また、図６のステップ＃１４〜＃１８に示すように、温度センサ５４、５５の検知結果に基づいて循環ポンプ１１を駆動し、製氷板９に流水して製氷を開始するので、循環経路の凍結や氷の白濁を防止することができる。即ち、表１は製氷板９の温度及び循環タンク１０の水温に応じた製氷状態を示している。
【００４５】
【表１】
2007113823.tif 000003
【００４６】
循環タンク１０の水温が０℃以下の場合は循環水が過冷却状態になる。このため、水が循環経路中で凍結して綿状の氷が生成される。循環タンク１０の水温が０℃を超える場合であっても、製氷板９の温度が−１０℃よりも低い場合は水が製氷板９上で急激に凍結し、気泡や不純物を取り込んで白濁する。
【００４７】
製氷板９の温度が０℃以上の場合は、配管１３に冷媒を流通して製氷板９が降温される。製氷板９の降温過程で製氷板９と熱交換した氷点付近の水が循環経路を流通する。このため、循環水が過冷却状態となり、循環経路中で凍結する。従って、温度センサ５４の検知による製氷板９の温度が−１０℃以上０℃未満の時に循環ポンプ１１を駆動して製氷を開始すると、循環経路の凍結や氷の白濁を防止できる。
【００４８】
尚、製氷を開始する製氷板９の下限温度を−１０℃と異なる温度にしてもよい。−１０℃よりも高くすると氷の白濁をより確実に防止できる。また、−１０℃よりも低くすると氷が白濁する危険性が増加するが、製氷板９の温度上昇を待機する時間を削減して迅速に製氷を開始できる。
【００４９】
製氷板９の温度が−１０℃以上０℃未満であっても、循環タンク１０の水温が１０℃を超えると製氷板９の表面と接触して熱交換した水が凍結せずに流通する。このため、氷点付近の水が循環経路を流通して循環水が過冷却状態となり、循環経路中で凍結する。従って、温度センサ５５の検知による循環タンク１０の水温が０℃よりも高く１０℃以下の時に循環ポンプ１１を駆動して製氷を開始すると、循環経路の凍結や氷の白濁を防止できる。
【００５０】
尚、製氷を開始する循環タンク１０の水温の上限を１０℃と異なる温度にしてもよい。１０℃よりも低くすると循環水の過冷却をより確実に防止できる。また、１０℃よりも高くすると循環水の過冷却の危険性が増加するが、水温の温度低下を待機する時間を削減して迅速に製氷を開始できる。
【００５１】
またステップ＃２０〜＃２２に示すように、製氷開始後に温度センサ５５の検知温度が０℃以下になったときに循環ポンプ１１を停止し、温度センサ５５の検知温度が０℃よりも高くなったときに循環ポンプ１１を再度駆動して製氷を再開するので、循環経路の凍結や氷の白濁をより確実に防止することができる。
【００５２】
本実施形態において、流下式製氷装置６を配置する貯蔵室が冷蔵室２になっているが、貯氷室２１の上方に配されて氷点よりも高温に維持される貯蔵室であればよい。また、温度センサ５４の検知結果に基づいて電磁弁３８の駆動し、給水タンク７から循環タンク１０への給水を制御してもよい。加えて、製氷板９を流下した水を給水タンク７に戻すように循環経路を設け、循環タンク１０が給水タンク７から成るように構成してもよい。
【産業上の利用可能性】
【００５３】
本実施形態によると、製氷装置を備えた一般家庭用の冷蔵庫に利用することができる。
【図面の簡単な説明】
【００５４】
【図１】本発明の実施形態の冷蔵庫を示す正面図
【図２】本発明の実施形態の冷蔵庫を示す側面断面図
【図３】本発明の実施形態の冷蔵庫の他の断面を示す側面断面図
【図４】本発明の実施形態の冷蔵庫を示す上面断面図
【図５】本発明の実施形態の冷蔵庫の流下式製氷装置を示す斜視図
【図６】本発明の実施形態の冷蔵庫の製氷の動作を示すフローチャート
【符号の説明】
【００５５】
１    冷蔵庫
２    冷蔵室
３    野菜室
４    冷凍室
６    流下式製氷装置
７    給水タンク
９    製氷板
１０    循環タンク
１１    循環ポンプ
１２    散水ノズル
１３    配管
１４    可動リブ
１５、１９、２２  断熱壁
１５ａ  開口部
１６    ダンパ
１７    貯氷容器
２０    仕切壁
２１    貯氷室
２５    ヒータ
３１    押圧軸
３３    アーム
３８    電磁弁
３９    止水弁
４０    固定プレート
４０ａ  固定リブ
４０ｂ  断熱板
４２    循環モータ
４３    離氷モータ
５１    冷却部
５２    製氷部
５３    係合部材
５４    温度センサ（温度検知手段）
５５    温度センサ（水温検知手段）
【図１】
2007113823.tif 000004
【図２】
2007113823.tif 000005
【図３】
2007113823.tif 000006
【図４】
2007113823.tif 000007
【図５】
2007113823.tif 000008
【図６】
2007113823.tif 000009